(57)【要約】【課題】誤った電源が接続されても、内部の構成部品の破損を確実に防ぐことができるモータ駆動装置を実現する。【解決手段】電磁接触器４を介してモータ駆動に用いられる主電源が供給されるモータ駆動装置１は、電磁接触器４の接点が開離している状態において、電磁接触器４の交流電源入力側における主電源電圧を監視する監視部１１と、監視部１１により監視された主電源電圧が正常であるか否かを判定する判定部１２と、電磁接触器４の接点の開閉を制御する指令を出力する電磁接触器制御部１３と、を備え、判定部１２により主電源電圧が異常であると判定された場合、電磁接触器制御部１３は、電磁接触器４の接点が開離するよう制御する開指令の出力を維持する。【選択図】図１
2017093190.tif 000002
【特許請求の範囲】
【請求項１】
電磁接触器を介してモータ駆動に用いられる主電源が供給されるモータ駆動装置であって、
前記電磁接触器の接点が開離している状態において、前記電磁接触器の交流電源入力側における主電源電圧を監視する監視部と、
前記監視部により監視された前記主電源電圧が正常であるか否かを判定する判定部と、
前記電磁接触器の接点の開閉を制御する指令を出力する電磁接触器制御部と、
を備え、
前記判定部により前記主電源電圧が異常であると判定された場合、前記電磁接触器制御部は、前記電磁接触器の接点が開離するよう制御する開指令の出力を維持することを特徴とするモータ駆動装置。
【請求項２】
前記判定部は、前記主電源電圧が、予め設定された第１の基準電圧より高い場合、前記主電源電圧は異常であると判定する請求項１に記載のモータ駆動装置。
【請求項３】
前記判定部は、前記主電源電圧が、前記第１の基準電圧より低い値として予め設定された第２の基準電圧より低い場合、前記主電源電圧は異常であると判定する請求項２に記載のモータ駆動装置。
【請求項４】
前記判定部により前記主電源電圧が異常であると判定された場合、前記電磁接触器制御部は、さらに、当該電磁接触器制御部を有する当該モータ駆動装置とは異なる他のモータ駆動装置に接続された電磁接触器の接点の開離を維持するよう制御する請求項１〜３のいずれか一項に記載のモータ駆動装置。
【請求項５】
前記電磁接触器制御部から出力される前記開指令を、前記他のモータ駆動装置に接続された電磁接触器へ出力する出力部をさらに備え、
前記他のモータ駆動装置に接続された電磁接触器は、前記出力部から前記開指令を受信したとき、その接点が開離される請求項４に記載のモータ駆動装置。
【発明の詳細な説明】
【技術分野】
【０００１】
本発明は、電磁接触器を介してモータ駆動に用いられる主電源が供給されるモータ駆動装置に関する。
【背景技術】
【０００２】
工作機械、鍛圧機械、射出成形機、産業機械、あるいは各種ロボット内のモータを駆動するモータ駆動装置においては、モータを駆動するために用いられる主電源が、電磁接触器を介して交流電源側から供給される。モータを駆動する際には電磁接触器の接点が閉成（オン）されることで、モータ駆動装置に電源が投入される。これにより、モータ駆動装置には交流電源側から主電源としての交流電力が電磁接触器を介して供給され、モータ駆動装置はこれをモータの駆動に適した電力に変換してモータへ供給する。
【０００３】
一般に、駆動すべきモータの種類や用途あるいはモータ駆動装置の性能や構造などといった種々の要因に応じて、モータ駆動装置に許容される主電源電圧の大きさ（例えば定格電圧）が予め設定されている。しかしながら、モータ駆動装置に対してその定格を超える不適切な交流電源が誤って接続されると、許容される主電源電圧よりも大きな値の電圧がモータ駆動装置に印加されて、モータ駆動装置を構成する部品やモータ自体が破損してしまうことがある。
【０００４】
例えば、電源が誤って接続された場合でも、過電圧が印加されて部品及び負荷が破損または劣化することを防止する電源装置として、開閉回路が閉にされてから所定時間を計時する間に、整流回路が交流電源から整流した直流電圧を平滑する平滑コンデンサの充電電圧を監視し、充電電圧が所定電圧を超えたとき、開閉回路を開にする電源装置がある（例えば、特許文献１参照。）。
【０００５】
また例えば、モータ駆動装置内のインバータのスイッチ素子の動作を制御するスイッチ制御手段に過電圧保護機能を備え、スイッチ素子に定格以上の電圧が印加されたとき保護機能が働いてゲート電圧を遮断することで、スイッチ素子を損傷しないようにするモータ駆動装置がある（例えば、特許文献２参照。）。
【先行技術文献】
【特許文献】
【０００６】
【特許文献１】特開２０１０−２２６８９３号公報
【特許文献２】特開２００３−０６１３８４号公報
【発明の概要】
【発明が解決しようとする課題】
【０００７】
上述のように、モータ駆動装置の定格に対して過大な交流電源が誤って接続されると、許容される主電源電圧よりも大きな値の電圧がモータ駆動装置に印加されて、モータ駆動装置を構成する部品やモータ自体が破損してしまうことがある。
【０００８】
従って本発明の目的は、上記問題に鑑み、誤った電源が接続されても、内部の構成部品の破損を確実に防ぐことができるモータ駆動装置を提供することにある。
【課題を解決するための手段】
【０００９】
上記目的を実現するために、本発明においては、電磁接触器を介してモータ駆動に用いられる主電源が供給されるモータ駆動装置は、電磁接触器の接点が開離している状態において、電磁接触器の交流電源入力側における主電源電圧を監視する監視部と、監視部により監視された主電源電圧が正常であるか否かを判定する判定部と、電磁接触器の接点の開閉を制御する指令を出力する電磁接触器制御部と、を備え、判定部により主電源電圧が異常であると判定された場合、電磁接触器制御部は、電磁接触器の接点が開離するよう制御する開指令の出力を維持する。
【００１０】
ここで、判定部は、主電源電圧が、予め設定された第１の基準電圧より高い場合、主電源電圧は異常であると判定するようにしてもよい。
【００１１】
また、判定部は、主電源電圧が、第１の基準電圧より低い値として予め設定された第２の基準電圧より低い場合、主電源電圧は異常であると判定するようにしてもよい。
【００１２】
また、判定部により主電源電圧が異常であると判定された場合、電磁接触器制御部は、さらに、当該電磁接触器制御部を有する当該モータ駆動装置とは異なる他のモータ駆動装置に接続された電磁接触器の接点の開離を維持するよう制御してもよい。
【００１３】
また、モータ駆動装置は、電磁接触器制御部から出力される開指令を、上記他のモータ駆動装置に接続された電磁接触器へ出力する出力部をさらに備え、上記他のモータ駆動装置に接続された電磁接触器は、出力部から開指令を受信したとき、その接点が開離されるようにしてもよい。
【発明の効果】
【００１４】
本発明によれば、誤った電源が接続されても、内部の構成部品の破損を確実に防ぐことができるモータ駆動装置を実現することができる。
【００１５】
本発明によれば、モータ駆動装置に不適切な交流電源が誤って接続されても、モータ駆動装置と交流電源との間に接続された電磁接触器の開状態（オフ状態）を維持するので、モータ駆動装置の構成部品やモータ自体が破損してしまうことを防ぐことができる。また、複数のモータ駆動装置を制御する場合にも、本発明によるモータ駆動装置を少なくとも１つ設けるだけで、各モータを駆動するモータ駆動装置すべてについて、その構成部品やモータ自体が破損してしまうことを防ぐことができる。
【図面の簡単な説明】
【００１６】
【図１】本発明の実施例によるモータ駆動装置を示すブロック図である。
【図２】図１に示すモータ駆動装置における異常判定処理および電磁接触器開閉制御の動作フローを示すフローチャートである。
【図３】図２に示す異常判定処理および電磁接触器開閉制御の動作フローの変形例を示すフローチャートである。
【図４】複数個のモータ駆動装置を制御する場合に本発明を適用した実施例を示すブロック図である。
【発明を実施するための形態】
【００１７】
図１は、本発明の実施例によるモータ駆動装置を示すブロック図である。以降、異なる図面において同じ参照符号が付されたものは同じ機能を有する構成要素であることを意味するものとする。
【００１８】
本発明の実施例によるモータ駆動装置１は、モータ３を駆動するために用いられる主電源が、電磁接触器４を介して交流電源２側から供給される。モータ３を駆動する際には電磁接触器４の接点が閉成（オン）されることで、モータ駆動装置１に電源が投入され、これにより、モータ駆動装置１には交流電源２側から主電源としての交流電力が電磁接触器４を介して供給され、モータ駆動装置１はこの交流電力をモータ３の駆動に適した電力に変換してモータ３へ供給する。なお、電磁接触器４の種類や構造は、本発明を特に限定するものではない。
【００１９】
モータ駆動装置１によって駆動されるモータ３の種類および数量は、本発明を限定するものではなく、誘導モータや同期モータのような交流モータであっても、あるいは直流モータであってもよい。モータ３が交流モータである場合、モータ駆動装置１は、交流電源３側から入力された交流電力を整流器（図示せず）により直流電力に一旦変換したのち逆変換器（図示せず）によりさらに交流電力に変換してこれをモータ３へ供給する。また、モータ３が直流モータである場合、モータ駆動装置１は、交流電源３側から入力された交流電力を整流器（図示せず）により直流電力に変換してこれをモータ３へ供給する。いずれの場合にも、モータ駆動装置１には交流の主電源が電磁接触器４を介して供給される。なお、図１では、モータ３の駆動制御に直接かかわる主回路系およびそれの制御系については図示を省略している。モータ３は、例えば工作機械の送り軸や主軸、あるいは産業機械、産業用ロボットのアーム等の駆動源として用いられる。
【００２０】
また、図示の例では、交流電源２の相数を三相としたが、相数も本発明を特に限定するものではなく、三相の他に、例えば単相やその他の多相の交流電源であってもよい。交流電源２の一例を挙げると、三相交流４００Ｖ電源、三相交流２００Ｖ電源、三相交流６００Ｖ電源、単相交流１００Ｖ電源などがある。また、モータ駆動装置１と電源２との間に変圧器が設けられてもよく、この場合は変圧器にて昇圧もしくは降圧された電圧がモータ駆動装置１に印加される。
【００２１】
本発明の実施例よるモータ駆動装置１は、監視部１１と、判定部１２と、電磁接触器制御部１３とを備える。
【００２２】
電磁接触器制御部１３は、電磁接触器４の接点の開閉（オンオフ）を制御する指令として、電磁接触器４の接点の開離を指令する開指令（オフ指令）および電磁接触器４の接点の閉成を指令する閉指令（オン指令）を出力する。
【００２３】
監視部１１は、電磁接触器４の接点が開離している状態において、電磁接触器４の交流電源３が入力される側における主電源電圧を監視し、検出する。監視部１１により監視された主電源電圧は、次段の判定部１２による処理が可能な値まで降圧された後、判定部１２に入力される。一般に、作業者によるモータ駆動装置１と交流電源２とを電気的に接続する作業は、電磁接触器４がオフした状態（すなわち接点が開離している状態）で行われるが、監視部１１は、このときの電磁接触器４の交流電源３が入力される側における主電源電圧を監視するものである。
【００２４】
判定部１２は、監視部１１により監視された主電源電圧が正常であるか否かを判定する。判定部１２による判定結果は、電磁接触器制御部１３へ送られる。判定部１２は例えばＬＳＩ（大規模集積回路）によって構成される。より詳細的には、判定部１２は、監視部１１により監視された主電源電圧が、予め設定された第１の基準電圧Ｖref1より高い場合、主電源電圧は異常であると判定する。第１の基準電圧Ｖref1の一例を挙げると、モータ駆動装置１の主電源電圧（すなわちモータ駆動装置１に入力される交流電圧）が三相交流２００Ｖである場合、２００Ｖに２０％程度のマージンを加算した２９０Ｖに設定される。例えば、第１の基準電圧Ｖref1が２９０Ｖに設定されたモータ駆動装置１に、三相交流４００Ｖの交流電源２が誤って接続されると、監視部１１により監視された主電源電圧４４０Ｖは、第１の基準電圧Ｖref1である２９０Ｖよりも高いので、判定部１２は、主電源電圧は異常であると判定することになる。
【００２５】
判定部１２により主電源電圧が異常であると判定された場合、電磁接触器制御部１３は、電磁接触器４の接点が開離（オフ）するよう制御する開指令（オフ指令）の出力を維持する。すなわち、主電源電圧が異常であると判定された場合は、電磁接触器４の接点の閉成（オン）は許可されず、電磁接触器４は開状態（オフ状態）を維持し、モータ駆動装置１には交流電源２から主電源電圧が印加されることはない。一方、判定部１２により主電源電圧は正常であると判定された場合、電磁接触器制御部１３は、電磁接触器４の接点が閉成（オン）するよう制御する閉指令（オン指令）を出力する。すなわち、主電源電圧は正常であると判定された場合は、電磁接触器４の接点は閉成され、電磁接触器４は閉状態（オン状態）に遷移し、モータ駆動装置１には交流電源２から主電源電圧が印加されることになる。
【００２６】
例えば、第１の基準電圧Ｖref1が２９０Ｖに設定されたモータ駆動装置１に、三相交流４００Ｖの交流電源２が誤って接続されると、監視部１１により監視された主電源電圧４４０Ｖは、第１の基準電圧Ｖref1である２９０Ｖよりも高いので、判定部１２は主電源電圧が異常であると判定し、これを受けて電磁接触器制御部１３は電磁接触器４の接点が開離するよう制御する開指令の出力を維持する。その結果、電磁接触器４はオフしたままとなり、モータ駆動装置１には交流電源２から主電源電圧４００Ｖが印加されず、モータ駆動装置の構成部品やモータ自体が破損してしまうことを防ぐことができる。
【００２７】
図２は、図１に示すモータ駆動装置における異常判定処理および電磁接触器開閉制御の動作フローを示すフローチャートである。
【００２８】
まず初期状態として、電磁接触器制御部１３は、電磁接触器４の接点の開離を指令する開指令（オフ指令）を出力し続けており、電磁接触器４の接点が開離されている状態すなわち電磁接触器４が開状態（オフ状態）にあるものとする（ステップＳ１０１）。
【００２９】
ステップＳ１０２では、監視部１１は、電磁接触器４の接点が開離している状態において、電磁接触器４の交流電源３が入力される側における主電源電圧を監視し、検出する。監視部１１により監視された主電源電圧は、次段の判定部１２による処理が可能な値まで降圧された後、判定部１２に入力される。
【００３０】
ステップＳ１０３において、判定部１２は、監視部１１により監視された主電源電圧が第１の基準電圧Ｖref1より高いか否かを判定することで、主電源電圧が正常か否かを判定する。判定部１２により主電源電圧が第１の基準電圧Ｖref1より高いと判定された場合、主電源電圧は異常であるのでステップＳ１０４へ進む。一方、判定部１２により主電源電圧が第１の基準電圧Ｖref1より低いと判定された場合、主電源電圧は正常であるのでステップＳ１０５へ進む。
【００３１】
ステップＳ１０４では、電磁接触器制御部１３は、電磁接触器４の接点が開離（オフ）するよう制御する開指令（オフ指令）の出力を維持する。これにより、電磁接触器４の接点の閉成（オン）は許可されず、電磁接触器４は開状態（オフ状態）を維持し、モータ駆動装置１には交流電源２から主電源電圧が印加されることはない。この結果、モータ駆動装置を構成する部品やモータ自体が破損してしまうことを防ぐことができる。
【００３２】
ステップＳ１０５では、電磁接触器制御部１３は、電磁接触器４の接点が閉成（オン）するよう制御する閉指令（オン指令）を出力する。これにより、主電磁接触器４の接点は閉成され、電磁接触器４は閉状態（オン状態）に遷移し、モータ駆動装置１には交流電源２から主電源電圧が印加されることになる。
【００３３】
以上説明したように、本実施例では、モータ駆動装置の定格に対して過大な交流電源が誤って接続されると、判定部１２は主電源電圧が異常であると判定し、電磁接触器制御部１３は電磁接触器４の接点が開離（オフ）するよう制御する開指令（オフ指令）の出力を維持する。これにより電磁接触器４は開状態（オフ状態）を維持し、モータ駆動装置１には交流電源２から主電源電圧が印加されることはない。この結果、モータ駆動装置の構成部品やモータ自体が破損してしまうことを防ぐことができる。
【００３４】
上述の実施例の変形例として、判定部１２は、監視部１１により監視された主電源電圧が正常であるか否かを、主電源電圧が第１の基準電圧Ｖref1より高いか否かという判定基準だけではなく、主電源電圧が「第１の基準電圧より低い値として予め設定された第２の基準電圧」より低いか否かという判定基準によって判定するようにしてもよい。図３は、図２に示す異常判定処理および電磁接触器開閉制御の動作フローの変形例を示すフローチャートである。
【００３５】
図３のステップＳ１０１において、まず初期状態として、電磁接触器制御部１３は、電磁接触器４の接点の開離を指令する開指令（オフ指令）を出力し、電磁接触器４の接点が開離されている状態すなわち電磁接触器４が開状態（オフ状態）にあるものとする。
【００３６】
ステップＳ１０２において、監視部１１は、電磁接触器４の接点が開離している状態において、電磁接触器４の交流電源３が入力される側における主電源電圧を監視し、検出する。監視部１１により監視された主電源電圧は、次段の判定部１２による処理が可能な値まで降圧された後、判定部１２に入力される。
【００３７】
ステップＳ１０３において、判定部１２は、監視部１１により監視された主電源電圧が第１の基準電圧Ｖref1より高いか否かを判定することで、主電源電圧が正常か否かを判定する。判定部１２により主電源電圧が第１の基準電圧Ｖref1より高いと判定された場合、主電源電圧は異常であるのでステップＳ１０４へ進む。一方、判定部１２により主電源電圧が第１の基準電圧Ｖref1より低いと判定された場合、ステップＳ１０６へ進む。
【００３８】
ステップＳ１０６において、判定部１２は、監視部１１により監視された主電源電圧が第２の基準電圧Ｖref2より低いか否かを判定することで、主電源電圧が正常か否かを判定する。第２の基準電圧Ｖref2は、第１の基準電圧Ｖref1より低い値として予め設定される値であり、例えば、モータ駆動装置１がモータ３を駆動制御するには不十分なほど低い値に設定される。一例を挙げると、モータ駆動装置１の主電源電圧（すなわちモータ駆動装置１に入力される交流電圧）が三相交流２００Ｖである場合、第２の基準電圧Ｖref2は１００Ｖに設定される。判定部１２により主電源電圧が第２の基準電圧Ｖref2より低いと判定された場合、主電源電圧は異常であるのでステップＳ１０４へ進む。一方、判定部１２により主電源電圧が第２の基準電圧Ｖref2より高いと判定された場合、主電源電圧は正常であるのでステップＳ１０５へ進む。
【００３９】
ステップＳ１０４では、電磁接触器制御部１３は、電磁接触器４の接点が開離（オフ）するよう制御する開指令（オフ指令）の出力を維持する。これにより、電磁接触器４の接点の閉成（オン）は許可されず、電磁接触器４は開状態（オフ状態）を維持し、モータ駆動装置１には交流電源２から主電源電圧が印加されることはない。
【００４０】
ステップＳ１０５では、電磁接触器制御部１３は、電磁接触器４の接点が閉成（オン）するよう制御する閉指令（オン指令）を出力する。これにより、主電磁接触器４の接点は閉成され、電磁接触器４は閉状態（オン状態）に遷移し、モータ駆動装置１には交流電源２から主電源電圧が印加されることになる。
【００４１】
上述の実施例およびその変形例では、１個のモータ駆動装置を制御する場合について説明したが、モータ駆動装置が複数個の場合であっても、本発明を適用することができる。図４は、複数個のモータ駆動装置を制御する場合に本発明を適用した実施例を示すブロック図である。図示の例では、一例としてモータ３−１をモータ駆動装置１を用いて駆動しモータ３−２をモータ駆動装置１０１を用いて駆動する場合について説明する。なお、モータ３−１およびモータ３−２の種類は、本発明を限定するものではなく、誘導モータや同期モータのような交流モータであっても、あるいは直流モータであってもよい。また、モータ駆動装置１およびモータ駆動装置１０１はともに交流電源２から主電源が供給される。モータ駆動装置１と交流電源２との間には電磁接触器４−１が接続され、モータ駆動装置１と交流電源２との間には電磁接触器４−２が接続される。なお、電磁接触器４−１および４−２の種類や構造は、本発明を特に限定するものではない。
【００４２】
図示の例では、モータ３−１は、監視部１１、判定部１２および電磁接触器制御部１３を備えるモータ駆動装置１によって駆動制御される。一方、モータ３−２は、電磁接触器制御部２１を備える一般的なモータ駆動装置１０１によって駆動制御される。モータ駆動装置１０１内に設けられる電磁接触器制御部２１は、電磁接触器４の接点の開閉（オンオフ）を制御する指令として、電磁接触器４−２の接点の開離を指令する開指令（オフ指令）および電磁接触器４の接点の閉成を指令する閉指令（オン指令）を出力する。ただし、電磁接触器制御部２１から出力される開閉指令は、モータ駆動装置１内の電磁接触器１３から出力される開閉指令と合わされて電磁接触器４−２の開閉動作に作用する。すなわち、本実施例によれば、モータ駆動装置１内の判定部１２により主電源電圧が異常であると判定された場合、電磁接触器制御部１３は、モータ駆動装置１に接続された電磁接触器４−１の接点の開離を維持するよう制御するとともに、さらに、当該電磁接触器制御部１３を有する当該モータ駆動装置１とは異なる他のモータ駆動装置１０１に接続された電磁接触器４−２の接点の開離を維持するよう制御する。
【００４３】
この制御を実現するために、本実施例では、モータ駆動装置１は、監視部１１、判定部１２および電磁接触器制御部１３に加え、電磁接触器制御部１３から出力される開指令および閉指令を、モータ駆動装置に接続された電磁接触器へ出力する出力部１４をさらに備える。そして、モータ駆動装置１内の出力部１４から出力される指令と、モータ駆動装置１０１内の電磁接触器制御部２１から出力される指令とが入力されるＡＮＤゲート（論理積回路）１５を設け、ＡＮＤゲート１５にてこれら指令の論理積を計算してその出力を電磁接触器４−２の開閉指令として用いる。なお、図示の例では、ＡＮＤゲート１５について、モータ駆動装置１の外部に設けたが、モータ駆動装置１内に含めて実現してもよい。
【００４４】
出力部１４および電磁接触器制御部２１のそれぞれから出力される開指令（オフ指令）を「Ｌ（ロー）」、閉指令（オン指令）を「Ｈ（ハイ）」で表したとき、ＡＮＤゲート１５からの出力が「Ｈ（閉指令）」となるのは、電磁接触器制御部１３および電磁接触器制御部２１から出力される指令がともに「Ｈ（閉指令）」のときであり、ＡＮＤゲート１５からの出力が「Ｌ（開指令）」となるのは、電磁接触器制御部１３および電磁接触器制御部２１から出力される指令の少なくとも１が「Ｌ（開指令）」のときである。図１〜３を参照して説明したように、モータ駆動装置１において定部１２により主電源電圧が異常であると判定された場合は、電磁接触器制御部１３は開指令（オフ指令）の出力を維持するので、ＡＮＤゲート１５からの出力は開指令（オフ指令）となる。したがって、モータ駆動装置１内の判定部１２によって主電源電圧が異常であると判定されれば、電磁接触器４−１および電磁接触器４−２の接点の閉成（オン）は両方とも許可されず、電磁接触器４−１および電磁接触器４−２は開状態（オフ状態）を維持し、モータ駆動装置１およびモータ駆動装置１０１には交流電源２から主電源電圧が印加されることはない。モータ駆動装置１およびモータ駆動装置１０１はともに交流電源２から主電源が供給されるが、このことは、モータ駆動装置１およびモータ駆動装置１０１に不適切な交流電源２が誤って接続されれば、モータ駆動装置１およびモータ駆動装置１０１の両方に影響を及ぼす可能性があることを意味する。しかし、本発明によれば、モータ駆動装置１内の判定部１２による異常判定処理および電磁接触器制御部１３の開閉制御により、モータ駆動装置１に接続された電磁接触器４−１のみならず、モータ駆動装置１０１に接続された電磁接触器４−２についてもその開閉動作を制御することができる。
【００４５】
これ以外の回路構成要素については図１に示す回路構成要素と同様であるので、同一の回路構成要素には同一符号を付して当該回路構成要素についての詳細な説明は省略する。
【００４６】
なお、図４ではモータの数を２個としたが、これ以外の複数個（３個以上）であっても同様に適用することができる。複数個のモータを駆動制御するためにはモータ駆動装置も複数個設けなければならない場合があるが、少なくとも１個のモータ駆動装置について、上述した監視部１１、判定部１２、電磁接触器制御部１３および出力部１４を備えるモータ駆動装置１を構成し、この出力部１４からの出力と、他のモータ駆動装置内の電磁接触器制御部からの出力とを、ＡＮＤゲート１５に入力し、ＡＮＤゲート１５から出力される指令を用いて各電磁接触器の開閉動作を制御すれば、各モータ駆動装置の構成部品や各モータ自体が破損してしまうことを防ぐことができる。
【００４７】
なお、上述した監視部１１、判定部１２、電磁接触器制御部１３、出力部１４およびＡＮＤゲート１５は、例えばソフトウェアプログラム形式で構築されてもよく、あるいは各種電子回路とソフトウェアプログラムとの組み合わせで構築されてもよい。例えばこれらをソフトウェアプログラム形式で構築する場合は、モータ駆動装置１の制御装置内にある演算処理装置をこのソフトウェアプログラムに従って動作させることで、上述の各部の機能を実現することができる。またあるいは、監視部１１、判定部１２、電磁接触器制御部１３、出力部１４およびＡＮＤゲート１５を、各部の機能を実現するソフトウェアプログラムを書き込んだ半導体集積回路として実現してもよい。
【符号の説明】
【００４８】
１    モータ駆動装置
２    交流電源
３、３−１、３−２    モータ
４    電磁接触器
１１    監視部
１２    判定部
１３    電磁接触器制御部
１４    出力部
１５    ＡＮＤゲート
【図１】
2017093190.tif 000003
【図２】
2017093190.tif 000004
【図３】
2017093190.tif 000005
【図４】
2017093190.tif 000006